(57)【要約】      （修正有）【課題】コンパクト化が可能であるとともに、様々な場所に設置することが可能な害鳥忌避装置を提供する。【解決手段】害鳥忌避装置１は、発光ボックス１０と制御ボックス２０とが分離された構成である。開口部１１は、発光ボックス１０の表面に設けられ、凹状である。ＬＥＤ素子１２は、開口部１１の中心に突出して設けられ、ＬＥＤ基板１３は、発光ボックス１０の内部に設けられ、ＬＥＤ素子１２と電気的に接続している。制御基板１４は、制御ボックス２０の内部に設けられ、ＬＥＤ基板１３に信号を出力して、ＬＥＤ素子１１の発光を制御する。長尺コード１５は、一端部がＬＥＤ基板１３に電気的に接続しており、他端部が制御基板１４に電気的に接続している。電源部１６は、制御ボックス２０の外部に設けられ、制御基板１４に電力を供給する。【選択図】図１
0003233261.tif 000002
【実用新案登録請求の範囲】
【請求項１】
発光ボックスと制御ボックスとが分離された構成であって、
前記発光ボックスの表面に設けられた凹状の開口部と、
前記開口部の中心に突出して設けられたＬＥＤ素子と、
前記発光ボックスの内部に設けられ、前記ＬＥＤ素子と電気的に接続したＬＥＤ基板と、
前記制御ボックスの内部に設けられ、前記ＬＥＤ基板に信号を出力して、前記ＬＥＤ素子の発光を制御する制御基板と、
一端部が、前記発光ボックスに装着され、前記ＬＥＤ基板に電気的に接続し、他端部が、前記制御ボックスに装着され、前記制御基板に電気的に接続した長尺コードと、
前記制御ボックスの外部に設けられ、前記制御基板に電力を供給する電源部と、
を備える害鳥忌避装置。
【請求項２】
アタッチメントとして、
前記発光ボックスの底面の一部に取り付けられる第一の固定部と、
壁面又は棒の先端に取り付けられる第二の固定部と、
前記第一の固定部が前記第二の固定部に対して垂直方向に回動可能で、且つ、任意の角度で静止可能となるように、前記第一の固定部と前記第二の固定部とを連結するヒンジ部と、
を備える
請求項１に記載の害鳥忌避装置。
【考案の詳細な説明】
【技術分野】
【０００１】
本考案は、害鳥忌避装置に関する。
【背景技術】
【０００２】
従来より、カラスやハトなどの害鳥を忌避するために、発光ダイオード（ＬＥＤ）を用いた害鳥忌避装置に関する技術が開発されている。
【０００３】
例えば、特開２００７−１１０９９８号公報（特許文献１）には、外側ケースと、板状圧電素子と、スライダと、摺接板と、復元ばねと、センシングワイヤと、を備えるゴミ押えネット用のカラス忌避装置が開示されている。外側ケースは、ＬＥＤを外部に現わして取り付けている。板状圧電素子は、外側ケースに内装されＬＥＤに電気接続され、可撓性である。スライダは、外側ケースに案内されて外側ケースから進退動作するようにスライド動作する。摺接板は、スライダに摺接する。復元ばねは、スライダと外側ケース間に介装されてスライダを無負荷位置に復帰させる。センシングワイヤは、スライダに取り付けられる。そして、このカラス忌避装置は、摺接板とスライダとのいずれか一方に凹凸摺接部を形成するとともに、他方に凹凸摺接部に摺接する摺接子を形成し、スライダのスライド動作によって凹凸摺接部と摺接子とを摺接させることによって発生する振動を板状圧電素子に伝達するようにしてなり、外側ケースとセンシングワイヤの先端部とをゴミ押えネットの異なる２点に連結して使用する。これにより、外側ケースとセンシングワイヤの先端部とがゴミ押えネットの異なる２点に連結されていることから、カラスがゴミ押えネットに加える様々な種類の刺激をゴミ押えネットの異なる２点間の距離の変化、すなわち、外側ケースとスライダの相対運動として検出することができ、外側ケースに対してスライダがスライド動作すると、凹凸摺接部と摺接子とが互いに摺接し、振動を発生する。この振動は、可撓性の板状圧電素子に伝達され、所定の起電作用を発揮し、板状圧電素子に電気接続されている外側ケースのＬＥＤが発光する。通常、カラスは、ＬＥＤの発光程度の嚇しには脅えないのであるが、このカラス忌避装置における発光は、カラスの動作に連動していることにより、カラスは、そこに何らかの人為的仕掛けの存在を感知して逃避する。また、外側ケースのＬＥＤは、通常は、点灯していないのでカラスに学習される時間を与えることがなく、忌避効果を持続させることができるとしている。
【０００４】
又、実用新案登録第３２０２２０５号公報（特許文献２）には、カラス等の害鳥が嫌がるビーム状の光を放射する光源を環状に複数個配置し、それら光源は、その本体中心付近に向けて内向き又は外向きに少し角度を付けた状態で取り付けられ、放射状に光を放射する害鳥忌避装置が開示されている。これにより、ビーム状の光を点滅させることで、あたかも光源が回転しているように見える効果を与えることにより、カラスなど害鳥の寄り付きを防ぐ効果があるとしている。また、点滅パターンも複数個具備することにより、その効果を長期間継続させることができるとしている。
【０００５】
又、特開２０１４−２７８９２号公報（特許文献３）には、発光部と、制御回路と、タイマと、ベースと、を備えた害鳥忌避装置が開示されている。発光部は、ＬＥＤを光源とする直管形のＬＥＤ灯を複数本並列に有し、該ＬＥＤ灯を赤、青、黄または紫の中から異なる色にそれぞれ着色している。制御回路は、発光部をＬＥＤ灯それぞれが不規則な順序で点灯するランダム点灯と全部消灯とを繰り返すように制御する。タイマは、制御回路を日中の所定時刻に駆動する。ベースは、発光部、制御回路およびタイマを集積して一つのモジュールを構成する。ベースは、建物の敷地、屋根、出入り口または／および天井に設置可能としている。これにより、装置の駆動中、ＬＥＤ灯が点灯と消灯を繰り返すため、常時点灯させるよりも、点灯時の閃光作用によって害鳥に対する忌避効果を高めることができるとしている。又、複数色のＬＥＤ灯をランダムな順序で駆動させるようにしたので、害鳥の慣れを防止して、持続的に忌避効果を得ることができるとしている。
【先行技術文献】
【特許文献】
【０００６】
【特許文献１】特開２００７−１１０９９８号公報
【特許文献２】実用新案登録第３２０２２０５号公報
【特許文献３】特開２０１４−２７８９２号公報
【考案の概要】
【考案が解決しようとする課題】
【０００７】
現在、害鳥忌避を希望するユーザーは、家庭用のごみ収集場だけでなく、家の屋根の上や家の壁面、ビニールハウス周辺など、様々な場所に害鳥忌避装置を設置したいという要求がある。特に、害鳥忌避装置は、設置場所の省スペース化に伴い、コンパクト化を求められている。
【０００８】
しかしながら、市販の害鳥忌避装置では、ＬＥＤと、ＬＥＤの制御回路と、電源とが一体化されている装置が多く、コンパクト化が困難で、且つ、設置場所に制限を受けるという課題がある。又、害鳥忌避装置では、ＬＥＤと制御回路と電源が一体化することで、ＬＥＤが立体的に配置されるとともに、ケースが大型化し、害鳥忌避装置全体として、更に嵩張り、コンパクト化することが出来ないという課題がある。
【０００９】
特許文献１に記載の技術では、ＬＥＤの電源として、板状圧電素子を用いるため、小型化が可能であるものの、板状圧電素子という特殊な部材を必要とするとともに、ＬＥＤへの供給電圧に制限が掛かり、特殊なＬＥＤの発光を実現することは出来ないという課題がある。
【００１０】
又、特許文献２に記載の技術では、ＬＥＤの光源を本体中心付近に向けて内向き又は外向きに少し角度を付けた状態で取り付ける必要があり、上述のように、害鳥忌避装置のコンパクト化に限界があるという課題がある。
【００１１】
更に、特許文献３に記載の技術では、ＬＥＤの発光部と制御回路とが一体となっており、上述のように、害鳥忌避装置全体が嵩高くなる傾向があり、コンパクト化、薄肉化に限界があるという課題がある。
【００１２】
そこで、本考案は、上述の課題を解決するためになされたものであり、コンパクト化が可能であるとともに、様々な場所に設置することが可能な害鳥忌避装置を提供することを目的とする。
【課題を解決するための手段】
【００１３】
本考案に係る害鳥忌避装置は、発光ボックスと制御ボックスとが分離された構成であって、開口部と、ＬＥＤ素子と、ＬＥＤ基板と、制御基板と、長尺コードと、電源部と、を備える。開口部は、前記発光ボックスの表面に設けられ、凹状である。ＬＥＤ素子は、前記開口部の中心に突出して設けられる。ＬＥＤ基板は、前記発光ボックスの内部に設けられ、前記ＬＥＤ素子と電気的に接続する。制御基板は、前記制御ボックスの内部に設けられ、前記ＬＥＤ基板に信号を出力して、前記ＬＥＤ素子の発光を制御する。長尺コードは、一端部が、前記発光ボックスに装着され、前記ＬＥＤ基板に電気的に接続し、他端部が、前記制御ボックスに装着され、前記制御基板に電気的に接続する。電源部は、前記制御ボックスの外部に設けられ、前記制御基板に電力を供給する。
【考案の効果】
【００１４】
本考案によれば、コンパクト化が可能であるとともに、様々な場所に設置することが可能となる。
【図面の簡単な説明】
【００１５】
【図１】本考案に係る害鳥忌避装置の概略図である。
【図２】本考案に係る害鳥忌避装置の発光ボックスとアタッチメントの概略図である。
【図３】本考案に係る害鳥忌避装置の発光ボックスとアタッチメントの角度調整の概略図である。
【図４】本考案に係る害鳥忌避装置の発光ボックスの開口部の概略図である。
【考案を実施するための形態】
【００１６】
以下に、添付図面を参照して、本考案の実施形態について説明し、本考案の理解に供する。尚、以下の実施形態は、本考案を具体化した一例であって、本考案の技術的範囲を限定する性格のものではない。
【００１７】
本考案に係る害鳥忌避装置１は、図１に示すように、発光ボックス１０と制御ボックス２０とが分離された構成であって、開口部１１と、ＬＥＤ素子１２と、ＬＥＤ基板１３と、制御基板１４と、長尺コード１５と、電源部１６と、を備える。
【００１８】
開口部１１は、発光ボックス１０の表面に設けられ、凹状であり、ＬＥＤ素子１２は、開口部１１の中心に突出して設けられ、ＬＥＤ基板１３は、発光ボックス１０の内部に設けられ、ＬＥＤ素子１２と電気的に接続している。
【００１９】
又、制御基板１４は、制御ボックス２０の内部に設けられ、ＬＥＤ基板１３に信号を出力して、ＬＥＤ素子１１の発光を制御する。長尺コード１５は、一端部１５ａが、発光ボックス１０に装着され、ＬＥＤ基板１３に電気的に接続しており、他端部１５ｂが、制御ボックス２０に装着され、制御基板１４に電気的に接続している。そして、電源部１６は、制御ボックス２０の外部に設けられ、制御基板１４に電力を供給する。
【００２０】
これにより、コンパクト化が可能であるとともに、様々な場所に設置することが可能となる。即ち、本考案では、害鳥忌避装置１を、ＬＥＤ素子１２を有する発光ボックス１０と、ＬＥＤ素子１２の発光を制御する制御ボックス２０とに分離し、発光機能と発光制御機能とを分けた構成としている。そして、発光ボックス１０では、ＬＥＤ素子１２の発光に最低限必要な部材を組み込み、発光ボックス１０をコンパクト化することが出来るとともに、発光ボックス１０単体で様々な場所に設置出来るようにしている。特に、ＬＥＤ素子１２は、凹状の開口部１１の中へ埋め込む形で設置しているため、発光ボックス１０から飛び出ることなく、発光ボックス１０全体の薄肉化を図ることが出来る。
【００２１】
一方、制御ボックス２０は、長尺コード１５により発光ボックス１０に接続し、発光ボックス１０のＬＥＤ素子１２は、制御ボックス２０の制御基板１４の信号により制御するようにしている。このように構成することで、例えば、害鳥忌避が必要で、且つ、設置空間が限られている場所であっても、発光ボックス１０をその場所に設置し、発光ボックス１０の発光制御を担う制御ボックス２０を、その場所から離れた場所に別個に設置することが出来る。そのため、ユーザーは、家庭用のごみ収集場、家の屋根の上、家の壁面、ビニールハウス周辺など、従来では、害鳥忌避装置を設置することが出来なかった狭い場所であっても、発光ボックス１０を容易に設置することが可能となる。
【００２２】
更に、発光ボックス１０は、長尺コード１５により制御ボックス２０に接続すれば済むため、例えば、従来の害鳥忌避装置では、ユーザーが、害鳥忌避したい場所に害鳥忌避装置を設置し、害鳥忌避装置の発光制御は、設置場所に行って害鳥忌避装置に直接行う必要があったが、本考案では、ユーザーは、家の内部に制御ボックス２０を設置し、家の外で、且つ、害鳥忌避したい場所に発光ボックス１０を設置することが出来るため、ユーザーは、発光ボックス１０のＬＥＤ素子１２の発光制御を家の中で容易に行うことが可能となり、ユーザーに対する利便性が向上する。
【００２３】
ここで、発光ボックス１０の形状に特に限定は無いが、例えば、図１に示すように、円盤状を挙げることが出来る。これにより、コンパクト化と薄肉化を図れ、狭い場所であっても容易に設置することが可能となる。尚、発光ボックス１０の形状は、これに限らず、例えば、楕円盤状、三角柱状、四角柱状、多角柱状、半球状、半楕円球状等の形状を挙げることが出来る。又、制御ボックス２０の形状も、発光ボックス１０と同様に、特に限定は無い。
【００２４】
又、発光ボックス１０の開口部１１及びＬＥＤ素子１２の数に特に限定は無いが、例えば、図１に示すように、６個でもよいし、４個でも、８個でも、１０個でも良く、ＬＥＤ素子１２の数に制限は無い。尚、ＬＥＤ素子１２の数が増加しても、全てのＬＥＤ素子１２は、発光ボックス１０内部のＬＥＤ基板１３に電気的に接続されることになる。
【００２５】
又、開口部１１とＬＥＤ素子１２は、二つで一組となる構成であり、開口部１１及びＬＥＤ素子１２の設置形態に特に限定は無いが、例えば、図１に示すように、発光ボックス１０の表面に円形状で放射状に配置しても良いし、楕円形状や三角形状、四角形状、多角形状で放射状に配置しても構わない。
【００２６】
又、ＬＥＤ基板１３の構成に特に限定は無いが、例えば、制御基板１４からの信号をＬＥＤ素子１２に伝えて、ＬＥＤ素子１２を点灯させたり、制御基板１４から流れる電流値を調整してＬＥＤ素子１２に流したりする役割を有する。
【００２７】
又、制御基板１４に特に限定は無いが、例えば、ＣＰＵやＲＡＭ、ＲＯＭ等を備え、ＬＥＤ素子１２の点灯と消灯を繰り返すための信号を出力したり、ＬＥＤ素子１２の点灯を一定時間継続するための信号を出力したりする役割を有する。具体的には、制御基板１４は、ユーザーの操作により、ＬＥＤ素子１２の点灯と消灯を無作為に繰り返すための信号を出力したり、所定時間（例えば、３時間）、ＬＥＤ素子１２の点灯を継続するための信号を出力したりしても良い。
【００２８】
又、制御基板１４は、例えば、時計回路を有し、時計回路に基いて、第一の時刻（例えば、午前６時）から第二の時刻（午前１０時）までＬＥＤ素子１２の点灯を継続するための信号を出力しても良い。第一の時刻は、例えば、害鳥のカラスが朝方活動を開始する時刻に設定され、第二の時刻は、例えば、害鳥のカラスが山へ飛び去る時刻に設定される。尚、害鳥は、カラスに限らず、ハトや雀、ムクドリ等を挙げることが出来る。
【００２９】
ここで、例えば、発光ボックス１０に照度センサーを備え、制御基板１４が、照度センサーからの照度を受信し、受信照度が予め設定された閾値を超過するか否かを判定し、受信照度が閾値を超過した場合、制御基板１４が、ＬＥＤ素子１２の点灯を開始するように構成しても良い。これにより、発光ボックス１０の外部環境が所定の明るさになった時に、ＬＥＤ素子１２を点灯させることが出来るため、例えば、害鳥のカラスが朝方、動き出してきたタイミングで、ＬＥＤ素子１２の点灯を開始させ、効率よくカラスを忌避することが可能となる。
【００３０】
尚、照度センサーの他に、例えば、温度センサーや湿度センサー、音センサー等、他の外部環境を測定するセンサーを設けて、閾値を設定して、外部環境の変化に応じてＬＥＤ素子１２の点灯を制御するように構成しても良い。
【００３１】
又、制御基板１４は、例えば、携帯端末装置と通信可能に構成し、ユーザーが、携帯端末装置を使って、例えば、上述の点灯のパターンや点灯継続時間、点灯開始時刻や点灯終了時刻等を制御基板１４に入力することで、制御基板１４に各種条件を設定出来るように構成しても構わない。
【００３２】
又、制御基板１４に、例えば、所定の時間だけＬＥＤ素子１２の点灯を継続させるための信号を設定する簡易スイッチを設けて、ユーザーが、簡易スイッチを押下することで、簡易スイッチに関連付けられた条件を制御基板１４に設定出来るように構成しても良い。尚、簡易スイッチに関連付けられる条件は、上述に限らず、ユーザーにより各種設定可能である。
【００３３】
又、制御基板１４に、例えば、簡易的な発声器を設けて、制御基板１４が、ＬＥＤ素子１２の点灯のための信号を出力するとともに、害鳥が忌避する威嚇音を発声器を介して出力するよう構成しても良い。これにより、害鳥への忌避効果を更に高めることが可能となる。
【００３４】
又、制御基板１４に、例えば、簡易的なＬＥＤ素子を設けて、制御基板１４に電力供給中では、そのＬＥＤ素子を点灯させるように構成して、ユーザーが制御ボックス２０を見た時に、電力供給中か否かを理解出来るように構成しても良い。
【００３５】
又、長尺コード１５の種類に特に限定は無いが、例えば、防水用の長尺コードであると好ましい。又、長尺コード１５の長さに特に限定は無いが、例えば、長ければ長い程、発光ボックス１０と制御ボックス２０との間の距離を長く設定することが出来るため、例えば、制御ボックス２０を設置する家から離れた場所のビニールハウス等に発光ボックス１０を設置することが可能となる。
【００３６】
又、電源部１６の構成に特に限定は無いが、例えば、制御ボックス２０を屋外に設置する場合は、充電池で構成しても良いし、制御ボックス２０を屋内に設置する場合は、家庭用又は工業用コンセントに装着可能なプラグで構成しても構わない。その他に、太陽光発電装置で構成しても問題ない。
【００３７】
さて、発光ボックス１０の構成について、一例を具体的に説明すると、図２に示すように、発光ボックス１０は、碗状の上蓋１０ａと、碗状の下蓋１０ｂと、上蓋１０ａの表面を覆う薄厚の透明のカバー部１０ｃとを備える。上蓋１０ａの表面には、円形状に放射状に６つの開口部１１とＬＥＤ素子１２とが設けられている。この上にカバー部１０ｃを設けることで、防水性を付与することが出来る。又、上蓋１０ａと下蓋１０ｂとを重ね合わせると、円盤状の容器が構成され、その中にＬＥＤ基板１３が設けられる。このように構成することで、発光ボックス１０のコンパクト化、薄肉化を図ることが可能となる。
【００３８】
ここで、本考案に係る害鳥忌避装置１は、発光ボックス１０を様々な場所に設置するためのアタッチメントを備えると好ましい。アタッチメント１７の構成に特に限定は無いが、例えば、図２に示すように、発光ボックス１０の底面の一部に取り付けられる第一の固定部１７ａと、壁面又は棒の先端に取り付けられる第二の固定部１７ｂと、第一の固定部１７ａが第二の固定部１７ｂに対して垂直方向に回動可能で、且つ、任意の角度で静止可能となるように、第一の固定部１７ａと第二の固定部１７ｂとを連結するヒンジ部１７ｃと、を備える。通常、発光ボックス１０は、表面に設けられたＬＥＤ素子１２を発光するため、ＬＥＤ素子１２の光の方向が固定されるが、上述のアタッチメント１７を用いることで、図３に示すように、発光ボックス１０の表面を垂直方向に回動させて、且つ、所定の角度で静止させることが出来るため、発光ボックス１０の表面におけるＬＥＤ素子１２の光の方向を任意の角度に調整することが可能となり、発光ボックス１０の設置場所に応じて、忌避効果の高いＬＥＤ素子１２の光の方向に設定することが可能となる。
【００３９】
ここで、第一の固定部１７ａの構成に特に限定は無いが、例えば、図３に示すように、両端に円形を有するコの字状の板材で構成することが出来る。又、第二の固定部１７ｂの構成に特に限定は無いが、例えば、図３に示すように、第二の固定部１７ｂが壁面に取り付けられる場合は、第一の固定部１７ａが装着される円形状のスリット１７ｂ１と、四隅を壁面にビス等の固定手段で固定可能な板材１７ｂ２とで構成することが出来る。更に、第二の固定部１７ｂが棒に取り付けられる場合は、第一の固定部１７ａが装着される円形状のスリット１７ｂ１と、棒の先端に装着可能な円筒状の装着材１７ｂ３とで構成することが出来る。
【００４０】
このように、発光ボックス１０を壁面に取り付けることが可能となることで、例えば、従来であれば、害鳥忌避装置１の設置のための水平面を有する場所を探したり設けたりする必要があったが、本考案では、アタッチメント１７を介して壁面に発光ボックス１０を設置することが出来るため、害鳥忌避装置１の設置場所を拡張することが可能であり、更に多様な場所への設置を可能とする。又、発光ボックス１０を棒の先端に取り付けることが可能となることで、以下の顕著な効果を有する。例えば、従来であれば、害鳥忌避装置１を高所に設置するために土台を設けたり屋根の上に設置したりしていたが、これらの場合では、土台が必要であったり、屋根の上に設置場所が限定されていた。本考案では、アタッチメント１７を介して棒の先端に発光ボックス１０を設置することが出来るため、高所用の棒を用意すれば、どのような場所でもどのような高所でも発光ボックス１０を設置することが可能となり、上述と同様に、害鳥忌避装置１の設置場所を拡張することが可能であり、更に多様な場所への設置を可能とする。
【００４１】
更に、本考案に係る害鳥忌避装置１は、ＬＥＤ素子１２の光の指向性を向上させるために、図４に示すように、開口部１１の凹状を放射状に傾斜面を有する逆円錐状に構成すると好ましい。開口部１１が逆円錐状に構成されることで、開口部１１の中心に突出したＬＥＤ素子１２が発光すると、発光した光が円錐の傾斜面に沿って外部に放射されるため、より広範囲に光を放射することが可能となり、害鳥への忌避効果を更に高めることが可能となる。ここで、開口部１１の逆円錐の底面と斜面との角度に特に限定は無いが、例えば、図４に示すように、開口部１１付近の上蓋１０ａの表面を段差状で構成して、開口部１１の逆円錐の底面と斜面との角度を小さくすることで、ＬＥＤ素子１２の光をより低角度で放射することが可能となる。
【００４２】
又、本考案に係る害鳥忌避装置１の構成に、更に、他の機能や他のデザインを追加しても構わない。
【産業上の利用可能性】
【００４３】
以上のように、本考案に係る害鳥忌避装置は、発光ボックスと制御ボックスとを分離したため、家庭用のごみ収集場、家の屋根の上や家の壁面、ビニールハウス周辺、公園、フェンス、陸屋根のパラペット、手すり等、どのような場所でもどのような高さでも設置可能な害鳥忌避装置として有用であり、コンパクト化が可能であるとともに、様々な場所に設置することが可能な害鳥忌避装置として有効である。
【符号の説明】
【００４４】
１  害鳥忌避装置
１０  発光ボックス
２０  制御ボックス
１１  開口部
１２  ＬＥＤ素子
１３  ＬＥＤ基板
１４  制御基板
１５  長尺コード
１６  電源部
【図１】
0003233261.tif 000003
【図２】
0003233261.tif 000004
【図３】
0003233261.tif 000005
【図４】
0003233261.tif 000006